(57)【要約】本発明の実施例はマシンタイプコミュニケーション（ＭＴＣ）のリソース構成方法及び装置を提供する。該方法は、基地局が、基地局にアクセスするＭＴＣユーザ機器に周波数領域リソースを割り当てるステップ（２０１）と、基地局が、ＭＴＣユーザ機器がＲＲＣシグナリングに基づいて通常のセルハンドオーバを行うか又は周波数領域リソースの調整を行うかを決定するように、ＭＴＣユーザ機器に割り当てられた周波数領域リソースに基づいてＭＴＣユーザ機器にＲＲＣシグナリングを送信するステップ（２０２）と、を含む。本発明の実施例の方法及び装置によれば、ＭＴＣユーザ機器が直ちに基地局により構成された動作周波数点にハンドオーバすることをサポートでき、正常な通信を行うことができる。【選択図】図２
2016502350.tif 000002
【特許請求の範囲】
【請求項１】
マシンタイプコミュニケーション（ＭＴＣ：Ｍａｃｈｉｎｅ−Ｔｙｐｅ  Ｃｏｍｍｕｎｉｃａｔｉｏｎ）のリソース構成方法であって、
基地局は、該基地局にアクセスするＭＴＣユーザ機器に周波数領域リソースを割り当てるステップと、
前記基地局は、前記ＭＴＣユーザ機器がＲＲＣシグナリングに基づいて通常のセルハンドオーバを行うか又は周波数領域リソースの調整を行うかを決定するように、前記ＭＴＣユーザ機器に割り当てられた周波数領域リソースに基づいて前記ＭＴＣユーザ機器に前記ＲＲＣシグナリングを送信するステップと、を含む、方法。
【請求項２】
基地局は、測定報告に基づいて前記ＭＴＣユーザ機器に周波数領域リソースを割り当てるように、前記ＭＴＣユーザ機器に測定要求を送信し、前記ＭＴＣユーザ機器により報告された前記測定報告を受信するステップ、をさらに含む、請求項１に記載の方法。
【請求項３】
基地局は、前記ＭＴＣユーザ機器に周波数領域リソースを割り当てる時に前記ＭＴＣユーザ機器によりサポートされる最大帯域幅を参照して前記ＭＴＣユーザ機器に動作帯域幅を割り当てるように、前記ＭＴＣユーザ機器により報告された前記ＭＴＣユーザ機器によりサポートされる最大帯域幅を受信するステップ、をさらに含む、請求項１に記載の方法。
【請求項４】
前記基地局は、前記基地局により前記ＭＴＣユーザ機器に割り当てられた周波数領域リソースの中心位置がシステム帯域幅の中心位置ではない場合、前記ＭＴＣユーザ機器がＲＲＣシグナリングに基づいて周波数領域リソースの調整を行うと決定するように、前記ＭＴＣユーザ機器にハンドオーバ指示を含む前記ＲＲＣシグナリングを送信する、或いは前記ＭＴＣユーザ機器にハンドオーバ指示値が第１の所定値である旨のハンドオーバ指示を含む前記ＲＲＣシグナリングを送信する、請求項１に記載の方法。
【請求項５】
前記基地局は、前記基地局により前記ＭＴＣユーザ機器に割り当てられた周波数領域リソースの中心位置がシステム帯域幅の中心位置である場合、前記ＭＴＣユーザ機器がＲＲＣシグナリングに基づいて通常のセルハンドオーバを行うと決定するように、前記ＭＴＣユーザ機器にハンドオーバ指示を含まない前記ＲＲＣシグナリングを送信する、或いは前記ＭＴＣユーザ機器にハンドオーバ指示値が第２の所定値である旨のハンドオーバ指示を含む前記ＲＲＣシグナリングを送信する、請求項１に記載の方法。
【請求項６】
前記ハンドオーバ指示は、前記ＲＲＣシグナリングのＭｏｂｉｌｉｔｙＣｏｎｔｒｏｌＩｎｆｏ情報要素により伝送される、請求項４又は５に記載の方法。
【請求項７】
前記ＭｏｂｉｌｉｔｙＣｏｎｔｒｏｌＩｎｆｏ情報要素は、前記ＭＴＣユーザ機器に割り当てられたキャリア周波数リソース及び帯域幅リソースをさらに含む、請求項６に記載の方法。
【請求項８】
マシンタイプコミュニケーションのリソース構成方法であって、
ユーザ機器は、基地局により送信されたＲＲＣシグナリングを受信するステップと、
前記ユーザ機器は、前記ＲＲＣシグナリングに基づいて、通常のセルハンドオーバを行うか又は周波数領域リソースの調整を行うかを判断するステップと、
前記ユーザ機器は、判断結果に基づいて、通常のセルハンドオーバを行う、或いは周波数領域リソースの調整を行うステップと、を含む、方法。
【請求項９】
前記ユーザ機器は、前記基地局が測定報告に基づいて前記ユーザ機器に周波数領域リソースを割り当てるように、前記基地局の測定要求に基づいてセル測定を行い、前記測定報告を報告するステップ、をさらに含む、請求項８に記載の方法。
【請求項１０】
前記ユーザ機器は、前記基地局が前記ユーザ機器に周波数領域リソースを割り当てる時に前記ユーザ機器によりサポートされる最大帯域幅を参照して前記ユーザ機器に動作帯域幅を割り当てるように、前記基地局に前記ユーザ機器によりサポートされる最大帯域幅を報告するステップ、をさらに含む、請求項８に記載の方法。
【請求項１１】
前記ユーザ機器は、前記ＲＲＣシグナリングにハンドオーバ指示が含まれている場合、又は前記ＲＲＣシグナリングにハンドオーバ指示値が第１の所定値である旨のハンドオーバ指示が含まれている場合、周波数領域リソースの調整を行う必要があると決定する、請求項８に記載の方法。
【請求項１２】
前記ユーザ機器は、前記ＲＲＣシグナリングにハンドオーバ指示が含まれていない場合、又は前記ＲＲＣシグナリングにハンドオーバ指示値が第２の所定値である旨のハンドオーバ指示が含まれている場合、通常のセルハンドオーバを行う必要があると決定する、請求項８に記載の方法。
【請求項１３】
前記ハンドオーバ指示は、前記ＲＲＣシグナリングのＭｏｂｉｌｉｔｙＣｏｎｔｒｏｌＩｎｆｏ情報要素により伝送される、請求項１１又は１２に記載の方法。
【請求項１４】
前記ＭｏｂｉｌｉｔｙＣｏｎｔｒｏｌＩｎｆｏ情報要素は、前記ＭＴＣユーザ機器に割り当てられたキャリア周波数リソース及び帯域幅リソースをさらに含む、請求項１３に記載の方法。
【請求項１５】
前記ユーザ機器は前記ＲＲＣシグナリングに基づいて周波数領域リソースの調整を行う際に、
前記ユーザ機器は、前記キャリア周波数リソースに基づいて動作周波数点を調整し、或いはベースバンドのデータを受信する周波数領域位置を調整し、前記帯域幅リソースに基づいて動作帯域幅を決定する、請求項１４に記載の方法。
【請求項１６】
前記ユーザ機器は、周波数領域リソースの調整を行うと判断された場合、元のサービングセルのタイミングアドバンス（Ｔｉｍｉｎｇ  Ａｄｖａｎｃｅ：ＴＡ）情報を保留し、前記ＴＡ情報に基づいて、新しい周波数領域リソースに調整された際の初期アップリンク送信時間を決定する、請求項８に記載の方法。
【請求項１７】
前記ユーザ機器は、周波数領域リソースの調整を行うと判断された場合、ｒａｄｉｏＲｅｓｏｕｒｃｅＣｏｎｆｉｇＣｏｍｍｏｎ情報及び／又はｒａｃｈ−ＣｏｎｆｉｇＤｅｄｉｃａｔｅｄ情報を保留する、請求項８に記載の方法。
【請求項１８】
基地局にアクセスするＭＴＣユーザ機器に周波数領域リソースを割り当てる割り当て手段と、
前記ＭＴＣユーザ機器がＲＲＣシグナリングに基づいて通常のセルハンドオーバを行うか又は周波数領域リソースの調整を行うかを決定するように、前記ＭＴＣユーザ機器に割り当てられた周波数領域リソースに基づいて前記ＭＴＣユーザ機器に前記ＲＲＣシグナリングを送信する送信手段と、を含む、基地局。
【請求項１９】
前記割り当て手段が測定報告に基づいて前記ＭＴＣユーザ機器に周波数領域リソースを割り当てるように、前記ＭＴＣユーザ機器に測定要求を送信し、前記ＭＴＣユーザ機器により報告された前記測定報告を受信する構成手段、をさらに含む、請求項１８に記載の基地局。
【請求項２０】
前記割り当て手段が前記ＭＴＣユーザ機器に周波数領域リソースを割り当てる時に前記ＭＴＣユーザ機器によりサポートされる最大帯域幅を参照して前記ＭＴＣユーザ機器に動作帯域幅を割り当てるように、前記ＭＴＣユーザ機器により報告された前記ＭＴＣユーザ機器によりサポートされる最大帯域幅を受信する受信手段、をさらに含む、請求項１８に記載の基地局。
【請求項２１】
前記送信手段は、前記割り当て手段により前記ＭＴＣユーザ機器に割り当てられた周波数領域リソースの中心位置がシステム帯域幅の中心位置ではない場合、前記ＭＴＣユーザ機器がＲＲＣシグナリングに基づいて周波数領域リソースの調整を行うと決定するように、前記ＭＴＣユーザ機器にハンドオーバ指示を含む前記ＲＲＣシグナリングを送信する、或いは前記ＭＴＣユーザ機器にハンドオーバ指示値が第１の所定値である旨のハンドオーバ指示を含む前記ＲＲＣシグナリングを送信する、請求項１８に記載の基地局。
【請求項２２】
前記送信手段は、前記割り当て手段により前記ＭＴＣユーザ機器に割り当てられた周波数領域リソースの中心位置がシステム帯域幅の中心位置である場合、前記ＭＴＣユーザ機器がＲＲＣシグナリングに基づいて通常のセルハンドオーバを行うと決定するように、前記ＭＴＣユーザ機器にハンドオーバ指示を含まない前記ＲＲＣシグナリングを送信する、或いは前記ＭＴＣユーザ機器にハンドオーバ指示値が第２の所定値である旨のハンドオーバ指示を含む前記ＲＲＣシグナリングを送信する、請求項１８に記載の基地局。
【請求項２３】
前記ハンドオーバ指示は、前記ＲＲＣシグナリングのＭｏｂｉｌｉｔｙＣｏｎｔｒｏｌＩｎｆｏ情報要素により伝送される、請求項２１又は２２に記載の基地局。
【請求項２４】
前記ＭｏｂｉｌｉｔｙＣｏｎｔｒｏｌＩｎｆｏ情報要素は、前記ＭＴＣユーザ機器に割り当てられたキャリア周波数リソース及び帯域幅リソースをさらに含む、請求項２３に記載の基地局。
【請求項２５】
マシンタイプコミュニケーションのユーザ機器であって、
基地局により送信されたＲＲＣシグナリングを受信する受信手段と、
前記ＲＲＣシグナリングに基づいて、通常のセルハンドオーバを行うか又は周波数領域リソースの調整を行うかを判断する判断手段と、
前記判断手段の判断結果に基づいて、通常のセルハンドオーバを行う、或いは周波数領域リソースの調整を行う処理手段と、を含む、ユーザ機器。
【請求項２６】
前記基地局が測定報告に基づいて前記ユーザ機器に周波数領域リソースを割り当てるように、前記基地局の測定要求に基づいてセル測定を行い、前記測定報告を報告する測定手段、をさらに含む、請求項２５に記載のユーザ機器。
【請求項２７】
前記基地局が前記ユーザ機器に周波数領域リソースを割り当てる時に前記ユーザ機器によりサポートされる最大帯域幅を参照して前記ユーザ機器に動作帯域幅を割り当てるように、前記基地局に前記ユーザ機器によりサポートされる最大帯域幅を報告する報告手段、をさらに含む、請求項２５に記載のユーザ機器。
【請求項２８】
前記判断手段は、前記ＲＲＣシグナリングにハンドオーバ指示が含まれている場合、又は前記ＲＲＣシグナリングにハンドオーバ指示値が第１の所定値である旨のハンドオーバ指示が含まれている場合、周波数領域リソースの調整を行うと決定し、
前記処理手段は、前記判断手段の判断結果に基づいて、周波数領域リソースの調整を行う、請求項２５に記載のユーザ機器。
【請求項２９】
前記判断手段は、前記ＲＲＣシグナリングにハンドオーバ指示が含まれていない場合、又は前記ＲＲＣシグナリングにハンドオーバ指示値が第２の所定値である旨のハンドオーバ指示が含まれている場合、通常のセルハンドオーバを行うと決定し、
前記処理手段は、前記判断手段の判断結果に基づいて、通常のセルハンドオーバを行う、請求項２５に記載のユーザ機器。
【請求項３０】
前記ハンドオーバ指示は、前記ＲＲＣシグナリングのＭｏｂｉｌｉｔｙＣｏｎｔｒｏｌＩｎｆｏ情報要素により伝送される、請求項２８又は２９に記載のユーザ機器。
【請求項３１】
前記ＭｏｂｉｌｉｔｙＣｏｎｔｒｏｌＩｎｆｏ情報要素は、前記ＭＴＣユーザ機器に割り当てられたキャリア周波数リソース及び帯域幅リソースをさらに含む、請求項３０に記載のユーザ機器。
【請求項３２】
前記処理手段は、前記キャリア周波数リソースに基づいて動作周波数点を調整し、或いはベースバンドのデータを受信する周波数領域位置を調整し、前記ＭＴＣユーザ機器の帯域幅リソースに基づいて動作帯域幅を決定する、請求項３１に記載のユーザ機器。
【請求項３３】
前記処理手段は、周波数領域リソースの調整を行うと前記判断手段により判断された場合、元のサービングセルのタイミングアドバンス（Ｔｉｍｉｎｇ  Ａｄｖａｎｃｅ：ＴＡ）を保留し、前記ＴＡ情報に基づいて、新しい周波数領域リソースに調整された際の初期アップリンク送信時間を決定する、請求項２５に記載のユーザ機器。
【請求項３４】
前記処理手段は、周波数領域リソースの調整を行うと前記判断手段により判断された場合、ｒａｄｉｏＲｅｓｏｕｒｃｅＣｏｎｆｉｇＣｏｍｍｏｎ情報及び／又はｒａｃｈ−ＣｏｎｆｉｇＤｅｄｉｃａｔｅｄ情報を保留する、請求項３３に記載のユーザ機器。
【請求項３５】
マシンタイプコミュニケーション（ＭＴＣ：Ｍａｃｈｉｎｅ−Ｔｙｐｅ  Ｃｏｍｍｕｎｉｃａｔｉｏｎ）のリソース構成方法であって、
基地局は、ＭＴＣユーザ機器が基地局にアクセスした後で、前記ＭＴＣユーザ機器がＲＲＣシグナリングに基づいて動作周波数点を調整し、或いはベースバンドのデータを受信する周波数領域位置を調整するように、前記ＭＴＣユーザ機器に前記ＲＲＣシグナリングを送信するステップ、を含み、
前記ＲＲＣシグナリングは、前記ＭＴＣユーザ機器の動作周波数点を指示するための動作周波数点指示情報、又は前記ＭＴＣユーザ機器のベースバンドのデータを受信する周波数領域位置を指示するための周波数領域位置指示情報を含む、方法。
【請求項３６】
前記ＲＲＣシグナリングは、前記ＭＴＣユーザ機器の動作帯域幅を指示するための動作帯域幅指示情報をさらに含む、請求項３５に記載の方法。
【請求項３７】
前記ＲＲＣシグナリングは、ｒａｄｉｏＲｅｓｏｕｒｃｅＣｏｎｆｉｇＣｏｍｍｏｎ情報及びｒａｄｉｏＲｅｓｏｕｒｃｅＣｏｎｆｉｇＤｅｄｉｃａｔｅｄ情報をさらに含む、請求項３５に記載の方法。
【請求項３８】
マシンタイプコミュニケーション（ＭＴＣ：Ｍａｃｈｉｎｅ−Ｔｙｐｅ  Ｃｏｍｍｕｎｉｃａｔｉｏｎ）のリソース構成方法であって、
ユーザ機器は、基地局にアクセスした後で、基地局により送信されたＲＲＣシグナリングを受信した場合、前記ＲＲＣシグナリングに基づいて動作周波数点を調整し、或いはベースバンドのデータを受信する周波数領域位置を調整するステップ、を含み、
前記ＲＲＣシグナリングは、前記ＭＴＣユーザ機器の動作周波数点を指示するための動作周波数点指示情報、又は前記ＭＴＣユーザ機器のベースバンドのデータを受信する周波数領域位置を指示するための周波数領域位置指示情報を含む、方法。
【請求項３９】
前記ＲＲＣシグナリングは、動作帯域幅指示情報をさらに含み、
前記方法は、
前記ＭＴＣユーザ機器が前記動作帯域幅指示情報に基づいて動作帯域幅を決定するステップをさらに含む、請求項３８に記載の方法。
【請求項４０】
前記ＲＲＣシグナリングは、ｒａｄｉｏＲｅｓｏｕｒｃｅＣｏｎｆｉｇＣｏｍｍｏｎ情報及びｒａｄｉｏＲｅｓｏｕｒｃｅＣｏｎｆｉｇＤｅｄｉｃａｔｅｄ情報をさらに含む、請求項３８に記載の方法。
【請求項４１】
ＭＴＣユーザ機器が基地局にアクセスした後で、前記ＭＴＣユーザ機器がＲＲＣシグナリングに基づいて動作周波数点を調整し、或いはベースバンドのデータを受信する周波数領域位置を調整するように、前記ＭＴＣユーザ機器に前記ＲＲＣシグナリングを送信する送信手段、を含み、
前記ＲＲＣシグナリングは、前記ＭＴＣユーザ機器の動作周波数点を指示するための動作周波数点指示情報、又は前記ＭＴＣユーザ機器のベースバンドのデータを受信する周波数領域位置を指示するための周波数領域位置指示情報を含む、基地局。
【請求項４２】
前記ＲＲＣシグナリングは、前記ＭＴＣユーザ機器の動作帯域幅を指示するための動作帯域幅指示情報をさらに含む、請求項４１に記載の基地局。
【請求項４３】
前記ＲＲＣシグナリングは、ｒａｄｉｏＲｅｓｏｕｒｃｅＣｏｎｆｉｇＣｏｍｍｏｎ情報及びｒａｄｉｏＲｅｓｏｕｒｃｅＣｏｎｆｉｇＤｅｄｉｃａｔｅｄ情報をさらに含む、請求項４１に記載の基地局。
【請求項４４】
マシンタイプコミュニケーション（ＭＴＣ：Ｍａｃｈｉｎｅ−Ｔｙｐｅ  Ｃｏｍｍｕｎｉｃａｔｉｏｎ）のユーザ機器であって、
基地局にアクセスした後で、基地局により送信されたＲＲＣシグナリングを受信した場合、前記ＲＲＣシグナリングに基づいて動作周波数点を調整し、或いはベースバンドのデータを受信する周波数領域位置を調整する処理手段、を含み、
前記ＲＲＣシグナリングは、前記ＭＴＣユーザ機器の動作周波数点を指示するための動作周波数点指示情報、又は前記ＭＴＣユーザ機器のベースバンドのデータを受信する周波数領域位置を指示するための周波数領域位置指示情報を含む、ユーザ機器。
【請求項４５】
前記ＲＲＣシグナリングは、動作帯域幅指示情報をさらに含み、
前記処理手段は、前記動作帯域幅指示情報に基づいて動作帯域幅を決定する、請求項４４に記載のユーザ機器。
【請求項４６】
前記ＲＲＣシグナリングは、ｒａｄｉｏＲｅｓｏｕｒｃｅＣｏｎｆｉｇＣｏｍｍｏｎ情報及びｒａｄｉｏＲｅｓｏｕｒｃｅＣｏｎｆｉｇＤｅｄｉｃａｔｅｄ情報をさらに含む、請求項４４に記載のユーザ機器。
【請求項４７】
マシンタイプコミュニケーション（ＭＴＣ：Ｍａｃｈｉｎｅ−Ｔｙｐｅ  Ｃｏｍｍｕｎｉｃａｔｉｏｎ）の周波数領域リソース管理方法であって、
基地局は、ＭＴＣユーザ機器により報告された、前記ＭＴＣユーザ機器がサポート可能な最大帯域幅を受信するステップと、
基地局は、前記ＭＴＣユーザ機器がサポート可能な最大帯域幅に基づいて周波数領域リソースを管理するステップと、を含む、方法。
【請求項４８】
マシンタイプコミュニケーション（ＭＴＣ：Ｍａｃｈｉｎｅ−Ｔｙｐｅ  Ｃｏｍｍｕｎｉｃａｔｉｏｎ）の周波数領域リソース管理方法であって、
ユーザ機器は、基地局が前記ユーザ機器がサポート可能な最大帯域幅に基づいて周波数領域リソースを管理するように、前記基地局に前記ユーザ機器がサポート可能な最大帯域幅を送信するステップ、を含む、方法。
【請求項４９】
ＭＴＣユーザ機器により報告された、前記ＭＴＣユーザ機器がサポート可能な最大帯域幅を受信する受信手段と、
前記ＭＴＣユーザ機器がサポート可能な最大帯域幅に基づいて周波数領域リソースを管理する管理手段と、を含む、基地局。
【請求項５０】
基地局がユーザ機器がサポート可能な最大帯域幅に基づいて周波数領域リソースを管理するように、前記基地局に前記ユーザ機器がサポート可能な最大帯域幅を送信する送信手段、を含む、ユーザ機器。
【請求項５１】
請求項１８〜２４のいずれかに記載の基地局及び請求項２５〜３４のいずれかに記載のユーザ機器を含む、或いは請求項４１〜４３のいずれかに記載の基地局及び請求項４４〜４６のいずれかに記載のユーザ機器を含む、或いは請求項４９に記載の基地局及び請求項５０に記載のユーザ機器を含む、通信システム。
【請求項５２】
基地局においてプログラムを実行する際に、コンピュータに、請求項１〜７、３５〜３７のいずれかに記載のマシンタイプコミュニケーションのリソース構成方法又は請求項４７に記載のマシンタイプコミュニケーションの周波数領域リソース管理方法を前記基地局において実行させる、コンピュータ読み取り可能なプログラム。
【請求項５３】
コンピュータに、請求項１〜７、３５〜３７のいずれかに記載のマシンタイプコミュニケーションのリソース構成方法又は請求項４７に記載のマシンタイプコミュニケーションの周波数領域リソース管理方法を基地局において実行させるためのコンピュータ読み取り可能なプログラムを記録する、記録媒体。
【請求項５４】
端末機器においてプログラムを実行する際に、コンピュータに、請求項８〜１７、３８〜４０のいずれかに記載のマシンタイプコミュニケーションのリソース構成方法又は請求項４８に記載のマシンタイプコミュニケーションの周波数領域リソース管理方法を前記端末機器において実行させる、コンピュータ読み取り可能なプログラム。
【請求項５５】
コンピュータに、請求項８〜１７、３８〜４０のいずれかに記載のマシンタイプコミュニケーションのリソース構成方法又は請求項４８に記載のマシンタイプコミュニケーションの周波数領域リソース管理方法を端末機器において実行させるためのコンピュータ読み取り可能なプログラムを記録する、記録媒体。
【発明の詳細な説明】
【技術分野】
【０００１】
本発明は、通信分野に関し、特に無線通信システムにおけるマシンタイプコミュニケーション（ＭＴＣ：Ｍａｃｈｉｎｅ−Ｔｙｐｅ  Ｃｏｍｍｕｎｉｃａｔｉｏｎ）のユーザ機器（ＵＥ：Ｕｓｅｒ  Ｅｑｕｉｐｍｅｎｔ）のリソース構成方法及び装置に関する。
【背景技術】
【０００２】
ロングタームエボリューション（ＬＴＥ：Ｌｏｎｇ  Ｔｅｒｍ  Ｅｖｏｌｕｔｉｏｎ）Ｒｅｌｅａｓｅ１１（バージョン１１）では、３ＧＰＰ  ＲＡＮは既にＭＴＣ通信のＲＡＮ強化に関する研究段階（ＳＩ：Ｓｔｕｄｙ  Ｉｔｅｍ）を起動し、最終の研究成果をＴＲ  ３７．８６８に出力する。ＴＲ  ３７．８６８は、表１に示すように、主に異なるＭ２Ｍ（Ｍ２Ｍ：Ｍａｃｈｉｎｅ−ｔｏ−Ｍａｃｈｉｎｅ）の応用シーンにおけるトラヒックの特徴及びモデルを研究している。
【表１】
2016502350.tif 000003
【０００３】
また、３ＧＰＰ  ＲＡＮ１では、ＴＲ  ３６．８８８においてローコストのマシンタイプコミュニケーション（ｌｏｗ−ｃｏｓｔ  ＭＴＣ）のユーザ機器に適用可能な各種の技術が提出され、この技術は、最大帯域幅の低減、単一受信ＲＦリンク、ピークレートの低減、送信電力の低減、半二重モード、及び支持可能な送信モードの低減などを含む。
【０００４】
ここで、ダウンリンクでは、最大帯域幅の低減は、ＲＦ及びベースバンド帯域幅を共に低減させること、ベースバンド帯域幅のみを低減させ、データチャネルのベースバンド帯域幅及び制御チャネルのベースバンド帯域幅を共に低減させること、並びにデータチャネルのベースバンド帯域幅のみを低減させ、制御チャネルのベースバンド帯域幅とキャリアシステムの帯域幅とが同一であることにさらに分けられている。
【０００５】
また、アップリンクでは、最大帯域幅の低減は、ＲＦ及びベースバンド帯域幅を共に低減させること、及び帯域幅が変わらないことにさらに分けられている。
【０００６】
ＲＦ及びベースバンド帯域幅を共に低減させる場合、又はベースバンド帯域幅を低減させ、データチャネルのベースバンド帯域幅及び制御チャネルのベースバンド帯域幅を共に低減させる場合は、ＭＴＣユーザ機器は、キャリアシステムの帯域幅全体において送信された信号を完全に取得できず、ＭＴＣユーザ機器がサポート可能な帯域幅における一部の信号のみを取得でき、正しく解析できない可能性がある。例えば、システム帯域幅が２０ＭＨｚであり、利用可能な最大リソースブロック（ＲＢ）の数が１１０であり、ＭＴＣユーザ機器によりサポートされる帯域幅が１．４ＭＨｚであり、利用可能な最大リソースブロック（ＲＢ）の数が６である場合、該ユーザ機器は６個のみのＲＢ信号を受信できる。図１に示すように、この６個のＲＢは、キャリアシステム帯域幅の中心に位置する場合があり、キャリアシステム帯域幅の任意位置に位置する場合がある。ＵＥのセル検出は検出されるキャリアの中心のＰＳＳ（Ｐｒｉｍａｒｙ  Ｓｙｎｃｈｒｏｎｉｚａｔｉｏｎ  Ｓｉｇｎａｌ：プライマリ同期信号）／ＳＳＳ（Ｓｅｃｏｎｄａｒｙ  Ｓｙｎｃｈｒｏｎｉｚａｔｉｏｎ  Ｓｉｎｇａｌ：セカンダリ同期信号）及びＰＢＣＨ（Ｐｈｙｓｉｃａｌ  Ｂｒｏａｄｃａｓｔ  Ｃｈａｎｎｅｌ：物理ブロードキャストチャネル）を検出することで行われ、ＭＴＣユーザ機器はまず該キャリアに上手くアクセスする必要があるため、アクセスしたＭＴＣユーザ機器の動作周波数点（ｆｒｅｑｕｅｎｃｙ  ｐｏｉｎｔ）とキャリアの中心周波数点に位置合わせる必要がある。ユーザ機器によりサポートされる１．４ＭＨｚの帯域幅が中心位置に位置していない場合、従来のメカニズムでは、ＵＥは、中心に位置する新しい周波数点にハンドオーバするようにセルのハンドオーバを行い、元のキャリアとの全ての接続を切断し、元のキャリアにおける全てのリソース構成を解放する必要がある。
【０００７】
しかし、本発明の発明者による発見によれば、このようなＭＴＣユーザ機器は、複雑なセルハンドオーバを行う場合、システムリソースを浪費し、キャリアにおける全てのリソース構成を解放する場合、ＭＴＣユーザ機器が正常に動作できなくなる可能性がある。
【０００８】
なお、背景技術に関する上記の説明は、単なる本発明の技術案をより明確、完全に説明するためのものであり、当業者を理解させるために説明するものであり。これら技術案が本発明の背景技術の部分に説明されているから当業者にとって周知の技術であると解釈してはならない。
【発明の概要】
【発明が解決しようとする課題】
【０００９】
本発明の実施例は、ＭＴＣユーザ機器が直ちに基地局により構成された動作周波数点にハンドオーバすることをサポートでき、正常な通信を行うことができるマシンタイプコミュニケーションのリソース構成方法及び装置を提供することを目的とする。
【課題を解決するための手段】
【００１０】
本発明の実施例の第１の態様では、マシンタイプコミュニケーション（ＭＴＣ：Ｍａｃｈｉｎｅ−Ｔｙｐｅ  Ｃｏｍｍｕｎｉｃａｔｉｏｎ）のリソース構成方法であって、基地局は、該基地局にアクセスするＭＴＣユーザ機器に周波数領域リソースを割り当てるステップと、前記基地局は、前記ＭＴＣユーザ機器がＲＲＣシグナリングに基づいて通常のセルハンドオーバを行うか又は周波数領域リソースの調整を行うかを決定するように、前記ＭＴＣユーザ機器に割り当てられた周波数領域リソースに基づいて前記ＭＴＣユーザ機器に前記ＲＲＣシグナリングを送信するステップと、を含む、方法を提供する。
【００１１】
本発明の実施例の第２の態様では、マシンタイプコミュニケーションのリソース構成方法であって、ユーザ機器は、基地局により送信されたＲＲＣシグナリングを受信するステップと、前記ユーザ機器は、前記ＲＲＣシグナリングに基づいて、通常のセルハンドオーバを行うか又は周波数領域リソースの調整を行うかを判断するステップと、前記ユーザ機器は、判断結果に基づいて、通常のセルハンドオーバを行う、或いは周波数領域リソースの調整を行うステップと、を含む、方法を提供する。
【００１２】
本発明の実施例の第３の態様では、基地局にアクセスするＭＴＣユーザ機器に周波数領域リソースを割り当てる割り当て手段と、前記ＭＴＣユーザ機器がＲＲＣシグナリングに基づいて通常のセルハンドオーバを行うか又は周波数領域リソースの調整を行うかを決定するように、前記ＭＴＣユーザ機器に割り当てられた周波数領域リソースに基づいて前記ＭＴＣユーザ機器に前記ＲＲＣシグナリングを送信する送信手段と、を含む、基地局を提供する。
【００１３】
本発明の実施例の第４の態様では、マシンタイプコミュニケーションのユーザ機器であって、基地局により送信されたＲＲＣシグナリングを受信する受信手段と、前記ＲＲＣシグナリングに基づいて、通常のセルハンドオーバを行うか又は周波数領域リソースの調整を行うかを判断する判断手段と、前記判断手段の判断結果に基づいて、通常のセルハンドオーバを行う、或いは周波数領域リソースの調整を行う処理手段と、を含む、ユーザ機器を提供する。
【００１４】
本発明の実施例の第５の態様では、マシンタイプコミュニケーション（ＭＴＣ：Ｍａｃｈｉｎｅ−Ｔｙｐｅ  Ｃｏｍｍｕｎｉｃａｔｉｏｎ）のリソース構成方法であって、基地局は、ＭＴＣユーザ機器が基地局にアクセスした後で、前記ＭＴＣユーザ機器がＲＲＣシグナリングに基づいて動作周波数点を調整し、或いはベースバンドのデータを受信する周波数領域位置を調整するように、前記ＭＴＣユーザ機器に前記ＲＲＣシグナリングを送信するステップ、を含み、前記ＲＲＣシグナリングは、前記ＭＴＣユーザ機器の動作周波数点を指示するための動作周波数点指示情報、又は前記ＭＴＣユーザ機器のベースバンドのデータを受信する周波数領域位置を指示するための周波数領域位置指示情報を含む、方法を提供する。
【００１５】
本発明の実施例の第６の態様では、マシンタイプコミュニケーション（ＭＴＣ：Ｍａｃｈｉｎｅ−Ｔｙｐｅ  Ｃｏｍｍｕｎｉｃａｔｉｏｎ）のリソース構成方法であって、ユーザ機器は、基地局にアクセスした後で、基地局により送信されたＲＲＣシグナリングを受信した場合、前記ＲＲＣシグナリングに基づいて動作周波数点を調整し、或いはベースバンドのデータを受信する周波数領域位置を調整するステップ、を含み、前記ＲＲＣシグナリングは、前記ＭＴＣユーザ機器の動作周波数点を指示するための動作周波数点指示情報、又は前記ＭＴＣユーザ機器のベースバンドのデータを受信する周波数領域位置を指示するための周波数領域位置指示情報を含む、方法を提供する。
【００１６】
本発明の実施例の第７の態様では、ＭＴＣユーザ機器が基地局にアクセスした後で、前記ＭＴＣユーザ機器がＲＲＣシグナリングに基づいて動作周波数点を調整し、或いはベースバンドのデータを受信する周波数領域位置を調整するように、前記ＭＴＣユーザ機器に前記ＲＲＣシグナリングを送信する送信手段、を含み、前記ＲＲＣシグナリングは、前記ＭＴＣユーザ機器の動作周波数点を指示するための動作周波数点指示情報、又は前記ＭＴＣユーザ機器のベースバンドのデータを受信する周波数領域位置を指示するための周波数領域位置指示情報を含む、基地局を提供する。
【００１７】
本発明の実施例の第８の態様では、マシンタイプコミュニケーション（ＭＴＣ：Ｍａｃｈｉｎｅ−Ｔｙｐｅ  Ｃｏｍｍｕｎｉｃａｔｉｏｎ）のユーザ機器であって、基地局にアクセスした後で、基地局により送信されたＲＲＣシグナリングを受信した場合、前記ＲＲＣシグナリングに基づいて動作周波数点を調整し、或いはベースバンドのデータを受信する周波数領域位置を調整する処理手段、を含み、前記ＲＲＣシグナリングは、前記ＭＴＣユーザ機器の動作周波数点を指示するための動作周波数点指示情報、又は前記ＭＴＣユーザ機器のベースバンドのデータを受信する周波数領域位置を指示するための周波数領域位置指示情報を含む、ユーザ機器を提供する。
【００１８】
本発明の実施例の第９の態様では、マシンタイプコミュニケーション（ＭＴＣ：Ｍａｃｈｉｎｅ−Ｔｙｐｅ  Ｃｏｍｍｕｎｉｃａｔｉｏｎ）の周波数領域リソース管理方法であって、基地局は、ＭＴＣユーザ機器により報告された、前記ＭＴＣユーザ機器がサポート可能な最大帯域幅を受信するステップと、基地局は、前記ＭＴＣユーザ機器がサポート可能な最大帯域幅に基づいて周波数領域リソースを管理するステップと、を含む、方法を提供する。
【００１９】
本発明の実施例の第１０の態様では、マシンタイプコミュニケーション（ＭＴＣ：Ｍａｃｈｉｎｅ−Ｔｙｐｅ  Ｃｏｍｍｕｎｉｃａｔｉｏｎ）の周波数領域リソース管理方法であって、ユーザ機器は、基地局が前記ユーザ機器がサポート可能な最大帯域幅に基づいて周波数領域リソースを管理するように、前記基地局に前記ユーザ機器がサポート可能な最大帯域幅を送信するステップ、を含む、方法を提供する。
【００２０】
本発明の実施例の第１１の態様では、ＭＴＣユーザ機器により報告された、前記ＭＴＣユーザ機器がサポート可能な最大帯域幅を受信する受信手段と、前記ＭＴＣユーザ機器がサポート可能な最大帯域幅に基づいて周波数領域リソースを管理する管理手段と、を含む、基地局を提供する。
【００２１】
本発明の実施例の第１２の態様では、基地局がユーザ機器がサポート可能な最大帯域幅に基づいて周波数領域リソースを管理するように、前記基地局に前記ユーザ機器がサポート可能な最大帯域幅を送信する送信手段、を含む、ユーザ機器を提供する。
【００２２】
本発明の実施例の第１３の態様では、上記第３の態様に記載の基地局及び上記第４の態様に記載のユーザ機器を含む、或いは上記第７の態様に記載の基地局及び上記第８の態様に記載のユーザ機器を含む、或いは上記第１１の態様に記載の基地局及び上記第１２の態様に記載のユーザ機器を含む、通信システムを提供する。
【００２３】
本発明の実施例の第１４の態様では、基地局においてプログラムを実行する際に、コンピュータに、上記第１の態様若しくは第５の態様に記載のマシンタイプコミュニケーションのリソース構成方法又は上記第９の態様に記載のマシンタイプコミュニケーションの周波数領域リソース管理方法を前記基地局において実行させる、コンピュータ読み取り可能なプログラムを提供する。
【００２４】
本発明の実施例の第１５の態様では、コンピュータに、上記第１の態様若しくは第５の態様に記載のマシンタイプコミュニケーションのリソース構成方法又は上記第９の態様に記載のマシンタイプコミュニケーションの周波数領域リソース管理方法を基地局において実行させるためのコンピュータ読み取り可能なプログラムを記録する、記録媒体を提供する。
【００２５】
本発明の実施例の第１６の態様では、端末機器においてプログラムを実行する際に、コンピュータに、上記第２の態様若しくは第６の態様に記載のマシンタイプコミュニケーションのリソース構成方法又は上記第１０の態様に記載のマシンタイプコミュニケーションの周波数領域リソース管理方法を前記端末機器において実行させる、コンピュータ読み取り可能なプログラムを提供する。
【００２６】
本発明の実施例の第１７の態様では、コンピュータに、上記第２の態様若しくは第６の態様に記載のマシンタイプコミュニケーションのリソース構成方法又は上記第１０の態様に記載のマシンタイプコミュニケーションの周波数領域リソース管理方法を端末機器において実行させるためのコンピュータ読み取り可能なプログラムを記録する、記録媒体を提供する。
【００２７】
本発明の実施例の有益な効果としては、ＭＴＣユーザ機器が直ちに基地局により構成された動作周波数点にハンドオーバすることをサポートでき、正常な通信を行うことができる
下記の説明及び図面に示すように、本発明の特定の実施形態が詳細に開示され、本発明の原理を採用できる方式が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００２８】
１つの実施形態に記載された特徴及び／又は示された特徴は、同一又は類似の方式で１つ又はさらに多くの他の実施形態で用いられてもよいし、他の実施形態における特徴と組み合わせてもよいし、他の実施形態における特徴に代わってもよい。
【００２９】
なお、本文では、用語「包括／含む」は、特徴、部材、ステップ又はコンポーネントが存在することを指し、一つ又は複数の他の特徴、部材、ステップ又はコンポーネントの存在又は付加を排除しない。
【図面の簡単な説明】
【００３０】
本発明の多くの態様は、以下の図面を参照しながら理解できる。図面における素子は比例に応じて記載されたものではなく、本発明の原理を示すためのものである。本発明の一部分を示す又は記載するため、図面における対応部分は拡大或いは縮小される可能性がある。本発明の１つの図面及び１つの実施形態に記載された要素及び特徴は、１つ又はさらに多くの図面又は実施形態に示された要素及び特徴と組み合わせてもよい。また、図面において、類似の符号は複数の図面における対応する素子を示し、１つ以上の実施形態に用いられる対応素子を示してもよい。
【図１】ＭＴＣユーザ機器のキャリアリソースのキャリアシステム帯域幅における位置を示す図である。
【図２】ハンドオーバコマンドの修正の１つの実施例のＭＴＣのリソース構成方法のフローチャートである。
【図３】ハンドオーバコマンドの修正のもう１つの実施例のＭＴＣのリソース構成方法のフローチャートである。
【図４】ハンドオーバコマンドを修正した後のハンドオーバのフローチャートである。
【図５】図２に示す実施例に対応する基地局の構成を示す図である。
【図６】図３に示す実施例に対応するユーザ機器の構成を示す図である。
【図７】新規に追加されたＲＲＣシグナリングの１つの実施例のＭＴＣのリソース構成方法のフローチャートである。
【図８】新規に追加されたＲＲＣシグナリングのもう１つの実施例のＭＴＣのリソース構成方法のフローチャートである。
【図９】図７に示す実施例に対応する基地局の構成を示す図である。
【図１０】図８に示す実施例に対応するユーザ機器の構成を示す図である。
【図１１】本発明の１つの実施例のＭＴＣのリソース管理方法のフローチャートである。
【図１２】本発明のもう１つの実施例のＭＴＣのリソース管理方法のフローチャートである。
【図１３】図１１に示す実施例に対応する基地局の構成を示す図である。
【図１４】図１２に示す実施例に対応するユーザ機器の構成を示す図である。
【発明を実施するための形態】
【００３１】
本発明の実施例の上記及び他の特徴は、図面及び下記の明細書により明確になる。これらの実施形態は、例示するものであり、本発明を限定するものではない。
【００３２】
＜実施例１＞
本発明の実施例は、マシンタイプコミュニケーションのリソース構成方法を提供する。図２は、該方法のフローチャートであり、図２に示すように、該方法は下記のステップを含む。
【００３３】
ステップ２０１：基地局は、該基地局にアクセスするＭＴＣユーザ機器に周波数領域リソースを割り当てる。
【００３４】
ステップ２０２：基地局は、ＭＴＣユーザ機器がＲＲＣシグナリングに基づいて通常のセルハンドオーバを行うか又は周波数領域リソースの調整を行うかを決定するように、ＭＴＣユーザ機器に割り当てられた周波数領域リソースに基づいて、ＭＴＣユーザ機器に該ＲＲＣシグナリングを送信する。
【００３５】
ステップ２０１において、周波数領域リソースは、キャリア周波数リソース及び帯域幅リソースを含む。背景技術の説明によれば、ローコストのＭＴＣ通信をサポートするため、最大帯域幅を低減できるが、帯域幅を低減する場合は、ＭＴＣユーザ機器の動作周波数点又は周波数領域位置、及び動作帯域幅は変化する可能性がある。よって、本発明の実施例は、まず基地局によりＭＴＣユーザ機器に周波数領域リソースを改めて割り当てる。
【００３６】
ステップ２０１の１つの態様では、基地局はＭＴＣユーザ機器の測定報告に基づいてＭＴＣユーザ機器のために割り当てられる周波数領域リソースを決定する、即ち基地局はＭＴＣユーザ機器の測定報告に基づいてＭＴＣユーザ機器が動作するための周波数領域リソースを決定してもよい。この場合、基地局は、ＭＴＣユーザ機器にセルを測定させて（例えばＭＴＣユーザ機器に測定制御情報（Ｍｅａｓｕｒｅｍｅｎｔ  Ｃｏｎｔｒｏｌ）を送信して）、ＭＴＣユーザ機器にアップリンクリソースを割り当て（例えばＭＴＣユーザ機器にアップリンク割り当て情報（ＵＬ  ａｌｌｏｃａｔｉｏｎ）を送信して）、ＭＴＣユーザ機器に測定報告（Ｍｅａｓｕｒｅｍｅｎｔ  Ｒｅｐｏｒｔ）を報告させる。そして、基地局は、ＭＴＣユーザ機器の測定報告に基づいて該ＭＴＣユーザ機器に割り当てられる周波数領域リソースを決定し、ＲＲＣシグナリングに新しいフィールドを追加してＭＴＣユーザ機器に該情報を指示して、ＭＴＣユーザ機器に該新しいフィールドに基づいて通常のセルハンドオーバを行う、或いは周波数領域リソースの調整を行う。
【００３７】
ステップ２０１のもう１つの態様では、基地局は、ＭＴＣユーザ機器に関連測定をさせることなく、ＭＴＣユーザ機器に割り当てられる周波数領域リソースを自ら決定してもよい。例えば、基地局は、自分のスケジューリング状況、負荷などに基づいてＭＴＣユーザ機器に割り当てられる周波数領域リソースを決定してもよい。
【００３８】
本発明の実施例の１つの態様では、該方法は下記のステップをさらに含む。
【００３９】
ステップ２０３：基地局は、ＭＴＣユーザ機器により報告された、ＭＴＣユーザ機器によりサポートされる最大帯域幅を指示する帯域幅情報を受信する。
【００４０】
この態様では、ＭＴＣユーザ機器は、基地局がステップ２０１においてＭＴＣユーザ機器に周波数領域リソースを割り当てる時にＭＴＣユーザ機器により報告された帯域幅情報を参照してＭＴＣユーザ機器に動作帯域幅を割り当てるように、ＭＴＣユーザ機器がサポート可能な最大帯域幅を報告してもよい。好ましくは、基地局によりＭＴＣユーザ機器に割り当てられた動作帯域幅は、ＭＴＣユーザ機器により報告されたサポート可能な最大帯域幅以下である。
【００４１】
この態様では、ステップ２０３と、上記ステップ２０１及びステップ２０２の実行順序が限定されない。例えば、ステップ２０３は、ステップ２０１の前に実行されてもよいし、ステップ２０１とステップ２０２との間で実行されてもよい。このましくは、ステップ２０３はステップ２０１の前に実行される。
【００４２】
ステップ２０２において、基地局によりＭＴＣユーザ機器に割り当てられた周波数領域リソースの中心位置（動作周波数点又は周波数領域位置の中心）がシステム帯域幅の中心位置ではない場合、基地局は、ＭＴＣユーザ機器がＲＲＣシグナリングに基づいて周波数領域リソースの調整を行うと決定するように、ＭＴＣユーザ機器にハンドオーバ指示を含む該ＲＲＣシグナリングを送信する、或いはＭＴＣユーザ機器にハンドオーバ指示値が第１の所定値である旨のハンドオーバ指示を含む該ＲＲＣシグナリングを送信する。
【００４３】
基地局によりＭＴＣユーザ機器に割り当てられた周波数領域リソースの中心位置（動作周波数点又は周波数領域位置の中心）がシステム帯域幅の中心位置である場合、基地局は、ＭＴＣユーザ機器がＲＲＣシグナリングに基づいて通常のセルハンドオーバを行うと決定するように、ＭＴＣユーザ機器にハンドオーバ指示を含まない該ＲＲＣシグナリングを送信する、或いはＭＴＣユーザ機器にハンドオーバ指示値が第２の所定値である旨のハンドオーバ指示を含む該ＲＲＣシグナリングを送信する。
【００４４】
言い換えれば、ステップ２０２の１つの態様では、基地局は、ＲＲＣシグナリングに新しいフィールド（本実施例では、「ハンドオーバ指示」と称され、以下同じ）を追加するか否かに基づいて、該ハンドオーバコマンド（ＲＲＣシグナリング）が通常のハンドオーバであるか、それともセルシステム帯域幅内の周波数領域リソースの変化であるかをＭＴＣユーザ機器に指示する。例えば、該ＲＲＣシグナリングに新しいフィールドが追加された場合、該ハンドオーバコマンドがセルシステム帯域幅内の周波数領域リソースの変化であり、ＭＴＣユーザ機器は該ＲＲＣシグナリングに基づいて周波数領域リソースの調整を行う。該ＲＲＣシグナリングに新しいフィールドが追加されていない場合、該ハンドオーバコマンドが通常のハンドオーバであり、ＭＴＣユーザ機器は該ＲＲＣシグナリングに基づいて通常のセルハンドオーバを行う。
【００４５】
ステップ２０２のもう１つの態様では、基地局は、ＲＲＣシグナリングに追加された新しいフィールドの値に基づいて、該ハンドオーバコマンド（ＲＲＣシグナリング）が通常のハンドオーバであるか、それともセルシステム帯域幅内の周波数領域リソースの変化であるかをＭＴＣユーザ機器に指示する。例えば、該新しいフィールドの値が第１の所定値（例えば「１」）である場合、該ハンドオーバコマンドがセルシステム帯域幅内の周波数領域リソースの変化であり、ＭＴＣユーザ機器は該ＲＲＣシグナリングに基づいて周波数領域リソースの調整を行う。該新しいフィールドの値が第２の所定値（例えば「０」又はデフォルト値）である場合、該ハンドオーバコマンドが通常のハンドオーバであり、ＭＴＣユーザ機器は該ＲＲＣシグナリングに基づいて通常のセルハンドオーバを行う。
【００４６】
本実施例では、該ハンドオーバ指示は、ＲＲＣシグナリングのＭｏｂｉｌｉｔｙＣｏｎｔｒｏｌＩｎｆｏ情報要素により伝送されてもよい。ＭｏｂｉｌｉｔｙＣｏｎｔｒｏｌＩｎｆｏ情報要素は、ＭＴＣユーザ機器がキャリア周波数リソース及び帯域幅リソースに基づいて周波数領域リソースを調整するように、ＭＴＣユーザ機器に割り当てられたキャリア周波数リソース及び帯域幅リソースをさらに含んでもよい。
【００４７】
以下は、本発明の実施例の１つの態様のＭｏｂｉｌｉｔｙＣｏｎｔｒｏｌＩｎｆｏ情報要素に含まれる内容の例である。
-- ASN1START
MobilityControlInfo
::= SEQUENCE {
targetPhysCellId    PhysCellId,
carrierFreq
CarrierFreqEUTRA OPTIONAL, --
Cond
HO-toEUTRA
carrierBandwidth    CarrierBandwidthEUTRA    OPTIONAL, --
Cond
HO-toEUTRA
additionalSpectrumEmission    AdditionalSpectrumEmission    OPTIONAL, --
Cond
HO-toEUTRA
t304    ENUMERATED {
ms50,
ms100, ms150, ms200, ms500, ms1000,
ms2000,
spare1},
newUE-Identity    C-RNTI,
radioResourceConfigCommon    RadioResourceConfigCommon,
rach-ConfigDedicated    RACH-ConfigDedicated    OPTIONAL, --
Need OP
New
indication    Frequencylocationflag    OPTIONAL, --
Need OP
}
CarrierBandwidthEUTRA
::=    SEQUENCE {
dl-Bandwidth    ENUMERATED {
20
n6, n15, n25, n50, n75, n100, spare10,
spare9,
spare8, spare7, spare6, spare5,
spare4,
spare3, spare2, spare1},
ul-Bandwidth    ENUMERATED {
n6,
n15, n25, n50, n75, n100, spare10,
25
spare9, spare8, spare7, spare6, spare5,
spare4,
spare3, spare2, spare1}  OPTIONAL --
Need OP
}
CarrierFreqEUTRA
::=    SEQUENCE {
dl-CarrierFreq    ARFCN-ValueEUTRA,
ul-CarrierFreq    ARFCN-ValueEUTRA    OPTIONAL  -- Cond
FDD
}
-- ASN1STOP
ここで、「ｎｅｗ  ｉｎｄｉｃａｔｉｏｎ」は、本発明の実施例に係るＲＲＣシグナリングのＭｏｂｉｌｉｔｙＣｏｎｔｒｏｌＩｎｆｏ情報要素に追加された新しいフィールド（新規追加フィールドと称される）であり、「ｆｒｅｑｕｅｎｃｙｌｏｃａｔｉｏｎｆｌａｇ」により通常のハンドオーバを行うか、それとも周波数領域リソースの調整を行うかを指示する。
【００４８】
基地局が本実施例の方法によりＭＴＣユーザ機器に周波数領域リソースを構成することで、ＭＴＣユーザ機器が直ちに基地局により構成された動作周波数点にハンドオーバすることができ、正常な通信を行うことができる。
【００４９】
＜実施例２＞
本発明の実施例はマシンタイプコミュニケーションのリソース構成方法をさらに提供する。図３は、該方法のフローチャートであり、図３に示すように、該方法は下記のステップを含む。
【００５０】
ステップ３０１：ユーザ機器は、基地局により送信されたＲＲＣシグナリングを受信する。
【００５１】
ステップ３０２：ユーザ機器は、ＲＲＣシグナリングに基づいて、通常のセルハンドオーバを行うか又は周波数領域リソースの調整を行うかを判断する。
【００５２】
ステップ３０３：ユーザ機器は、判断結果に基づいて、通常のセルハンドオーバを行う、或いは周波数領域リソースの調整を行う。
【００５３】
ステップ３０１において、基地局によりユーザ機器に送信されたＲＲＣシグナリングは実施例１と同じであり、その内容はここで援用され、ここでその説明が省略される。
【００５４】
ステップ３０２において、基地局からＭＴＣユーザ機器に送信されたＲＲＣシグナリングに、該ＭＴＣユーザ機器が周波数領域リソースの調整を指示するための情報（即ち実施例１に記載されたハンドオーバ指示又は第１の所定値を有するハンドオーバ指示）が含まれる可能性があるため、ＭＴＣユーザ機器は、該ＲＲＣシグナリングを受信した後で、該ＲＲＣシグナリングに基づいて、ハンドオーバコマンド（ＲＲＣシグナリング）が通常のハンドオーバであるか、それともセルシステム帯域幅内の周波数領域リソースの変化であるかを決定する。
【００５５】
ここで、ＲＲＣシグナリングにハンドオーバ指示が含まれている場合、又はＲＲＣシグナリングにハンドオーバ指示値が第１の所定値である旨のハンドオーバ指示が含まれている場合、ステップ３０２において該ハンドオーバコマンドが周波数領域リソースの調整であると決定し、ユーザ機器は該ＲＲＣシグナリングに基づいて周波数領域リソースの調整を行う。
【００５６】
ここで、ＲＲＣシグナリングにハンドオーバ指示が含まれていない場合、又はＲＲＣシグナリングにハンドオーバ指示値が第２の所定値である旨のハンドオーバ指示が含まれている場合、ステップ３０２において該ハンドオーバコマンドが通常のセルハンドオーバであると決定し、ユーザ機器は該ＲＲＣシグナリングに基づいて通常のセルハンドオーバを行う。
【００５７】
本実施例のもう１つの態様では、実施例１の方法に対応し、基地局は、測定報告に基づいてユーザ機器に周波数領域リソースを割り当てるようにユーザ機器にセルの測定を行わせて、ユーザ機器は、基地局の測定要求に基づいてセル測定を行い、測定報告を報告する。
【００５８】
本実施例のもう１つの態様では、実施例１の方法に対応し、ユーザ機器は、基地局がユーザ機器により報告される帯域幅情報を参照してユーザ機器に動作帯域幅を割り当てるように、基地局に、ユーザ機器によりサポートされる最大帯域幅を報告してもよい。
【００５９】
実施例１と同様に、本実施例では、ハンドオーバ指示は、ＲＲＣシグナリングのＭｏｂｉｌｉｔｙＣｏｎｔｒｏｌＩｎｆｏ情報要素により伝送され、ＭｏｂｉｌｉｔｙＣｏｎｔｒｏｌＩｎｆｏ情報要素は、ＭＴＣユーザ機器がキャリア周波数リソース及び帯域幅リソースに基づいて周波数領域リソースを調整するように、ＭＴＣユーザ機器に割り当てられたキャリア周波数リソース及び帯域幅リソースをさらに含んでもよい。
【００６０】
ここで、ユーザ機器がＲＲＣシグナリングに基づいて周波数領域リソースを調整する際に、背景技術に言及された最大帯域幅の低減方法におけるＲＦ及びベースバンド帯域幅を共に低減する場合のＭＴＣユーザ機器は、キャリア周波数リソースに基づいて動作周波数点を調整し、帯域幅リソースに基づいて動作帯域幅を決定し、背景技術に言及された最大帯域幅の低減方法におけるベースバンド帯域幅を低減し、データチャネルのベースバンド帯域幅及び制御チャネルのベースバンド帯域幅を共に低減する場合のＭＴＣユーザ機器は、キャリア周波数リソースに基づいてベースバンドのデータを受信する周波数領域位置を調整し、帯域幅リソースに基づいて動作帯域幅を決定してもよい。
【００６１】
１つの実施例では、周波数領域リソースが調整されているため、ＭＴＣユーザ機器は、ランダムアクセスを自発的に行わず、元のサービングセル（元の周波数領域リソース）の全ての構成リソース情報を解放しない。即ち、ＭＴＣユーザ機器は、元のサービングセル（元の周波数領域リソース）の一部の構成リソース情報を保留する。
【００６２】
好ましくは、ＭＴＣユーザ機器は、ＮＴＡ（タイミングアドバンス）情報を保留してもよい。即ち、ＭＴＣユーザ機器は、新しい周波数領域リソースに調整された後で、用いられる初期ダウンリンクタイミングは元の周波数領域リソースから取得されたダウンリンクタイミングであり、新しい周波数領域リソースにおけるパイロットシンボルに基づいてダウンリンクタイミングの追跡を行う。用いられる初期アップリンクタイミングは元の周波数領域リソースから取得されたアップリンクタイミングであり、即ち検出されたダウンリンクの第１パス（「パス」はチャネルのマルチパス時間遅延におけるマルチパスを指す）の時点を参照点として、ＮＴＡ個のサンプリング点だけ前にずらした時間をアップリンク送信時間とし、ここで、ＮＴＡはＭＴＣユーザ機器が元の周波数領域リソースから取得したアップリンクタイミング情報である。その後のアップリンクタイミングについて、ＭＴＣユーザ機器は受信されたアップリンクタイミングの調整コマンドに基づいて更新する。
【００６３】
好ましくは、ＭＴＣユーザ機器は、ｒａｄｉｏＲｅｓｏｕｒｃｅＣｏｎｆｉｇＣｏｍｍｏｎ情報及びｒａｃｈ−ＣｏｎｆｉｇＤｅｄｉｃａｔｅｄ情報を保留してもよい。
【００６４】
ここで、周波数領域リソースが調整された後でＭＴＣユーザ機器により保留された構成リソース情報は、単なる一例であり、本実施例はこれに限定されない。例えば、ＭＴＣユーザ機器は、正常な通信などを行うように、他の情報を保留してもよい。
【００６５】
１つの実施例では、ＭＴＣユーザ機器は、元のサービングセルとのＲＲＣ接続を維持する。図４の修正後のフローチャートに示すように、下記のステップを含む。
【００６６】
ステップ４０１：サービング基地局（Ｓｅｒｖｉｎｇ  ｃｅｌｌ）は、ＵＥに測定制御（Ｍｅａｓｕｒｅｍｅｎｔ  Ｃｏｎｔｒｏｌ）を送信する。
【００６７】
ステップ４０２：ＵＥは、サービング基地局に測定結果（Ｍｅａｓｕｒｅｍｅｎｔ  Ｒｅｐｏｒｔｓ）を報告する。
【００６８】
ここで、ＵＥは、該Ｍｅａｓｕｒｅｍｅｎｔ  Ｃｏｎｔｒｏｌに基づいてセル測定を行い、測定結果を報告する。
【００６９】
ここで、測定結果は、サービング基地局により割り当てられたアップリンクリソースで送信される。
【００７０】
ステップ４０３：サービング基地局は、測定結果に基づいてＵＥの周波数領域リソース（Ｆｒｅｑｕｅｎｃｙ  ｄｏｍａｉｎ  ｌｏｃａｔｉｏｎ  ｄｅｃｉｓｉｏｎ）を決定する。
【００７１】
ここで、上述したように、基地局は、ＭＴＣユーザ機器により報告された測定結果を参照せず、ＭＴＣユーザ機器のために構成された周波数領域リソースを自ら決定してもよく、即ちステップ４０１及びステップ４０２が省略されてもよい。
【００７２】
ここで、上述したように、基地局は、ＵＥにより報告された帯域幅情報を参照して、ＵＥに割り当てられた動作帯域幅を決定してもよい。
【００７３】
ステップ４０４：サービング基地局は、ＵＥにＲＲＣシグナリング（ＲＲＣ  Ｃｏｎｎ．  Ｒｅｃｏｎｆ．  ｉｎｃｌ．）を送信し、該ＲＲＣシグナリングは移動制御情報（Ｍｏｂｉｌｉｔｙ  Ｃｏｎｔｒｏｌ  Ｉｎｆｏｒｍａｔｉｏｎ）を含む。
【００７４】
ここで、該ＲＲＣシグナリングは、サービング基地局により割り当てられたダウンリンクリソースで送信される。
【００７５】
ここで、ＵＥは該ＲＲＣシグナリングに基づいて周波数領域リソースを変更し、例えば、セルの中心周波数から指定のキャリア周波数（動作周波数点又は周波数領域位置）に調整する。
【００７６】
ステップ４０５：ＵＥは、ターゲット基地局（Ｔａｒｇｅｔ  ｃｅｌｌ）にＲＲＣ再割り当て完成情報を送信する。
【００７７】
ここで、該ターゲット基地局は、実際のターゲット基地局ではなく、サービング基地局の帯域幅内の新しい周波数リソースを指す。
【００７８】
ここで、ＲＲＣ再割り当て完成情報は、該ターゲット基地局により構成されたアップリンクリソースで送信される。
【００７９】
本実施例では、ＭＴＣユーザ機器がダウンリンク同期を行うか否かを限定しないが、実際の状況に応じて決定されてもよい。
【００８０】
１つの好適な実施例では、ＵＥは、周波数領域リソースを調整した後で、従来の構成における正常な通信に役に立たない一部の情報、例えばターゲットセルのｃｅｌｌ  ＩＤ（ｔａｒｇｅｔｃｅｌｌＩＤ）、付加的なスペクトル発射（ａｄｄｉｔｉｏｎａｌＳｐｅｃｔｒｕｍＥｍｉｓｓｉｏｎ）、新しいユーザＩＤ（ｎｅｗＵＥ−Ｉｄｅｎｔｉｔｙ）などを除去してもよい。
【００８１】
１つの好適な実施例では、ｒａｄｉｏＲｅｓｏｕｒｃｅＣｏｎｆｉｇＣｏｍｍｏｎ及びｒａｃｈ−ＣｏｎｆｉｇＤｅｄｉｃａｔｅｄを除去してもよい。
【００８２】
本実施例の方法によれば、ＭＴＣユーザ機器は、基地局により構成された動作周波数点に直ちにハンドオーバすることができ、元のサービング基地局により構成されたパラメータを用いて通信を行うことができる。
【００８３】
本発明の実施例は基地局をさらに提供し、下記の実施例３に説明するように、該基地局の問題解決の原理は実施例１の方法と類似するため、具体的な実施は実施例１の方法の実施を参照してもよく、ここで重複部分の説明が省略される。
【００８４】
＜実施例３＞
本発明の実施例は基地局を提供する。図５は該基地局の構成を示す図であり、図５に示すように、該基地局は割り当て部５１及び送信部５２を含む。
【００８５】
割り当て部５１は、基地局にアクセスするＭＴＣユーザ機器に周波数領域リソースを割り当てる。
【００８６】
送信部５２は、ＭＴＣユーザ機器がＲＲＣシグナリングに基づいて通常のセルハンドオーバを行うか又は周波数領域リソースの調整を行うかを決定するように、ＭＴＣユーザ機器に割り当てられた周波数領域リソースに基づいて、ＭＴＣユーザ機器に該ＲＲＣシグナリングを送信する。
【００８７】
本実施例の１つの態様では、該基地局は構成部５３をさらに含む。
【００８８】
構成部５３は、割り当て部５１がＭＴＣユーザ機器の測定報告に基づいてＭＴＣユーザ機器に割り当てられる周波数領域リソースを決定する、即ちＭＴＣユーザ機器の動作周波数領域リソースを決定するように、ＭＴＣユーザ機器にセルの測定を行わせる。１つの態様では、構成部５３は送信モジュール５３１及び受信モジュール５３２をさらに含んでもよく、送信モジュール５３１はＭＴＣユーザ機器に測定要求を送信し、受信モジュール５３２はＭＴＣユーザ機器の測定報告を受信する。
【００８９】
本実施例のもう１つの態様では、基地局は、他の条件に依らずにハンドオーバしてもよく、即ちなんらかの測定結果に基づかなく、スケジュールされるＭＴＣユーザ機器の周波数領域リソースを自ら決定してもよい。例えば、自分のスケジュール状況又は負荷のみに基づいてＭＴＣユーザ機器に割り当てられる周波数領域リソースを決定してもよい。
【００９０】
本実施例のもう１つの態様では、基地局は受信部５４をさらに含む。
【００９１】
受信部５４は、割り当て部５１が帯域幅情報を参照してＭＴＣユーザ機器に動作帯域幅を割り当てるように、ＭＴＣユーザ機器により報告された帯域幅情報を受信し、該帯域幅情報は、ＭＴＣユーザ機器によりサポートされる最大帯域幅を指示する。
【００９２】
上記３つの実施例は単なる例示的な説明であり、具体的に実施する際に、組み合わせて用いてもよいが、本実施例はこれに限定されない。
【００９３】
本実施例の１つの態様では、送信部５２は、基地局によりＭＴＣユーザ機器に割り当てられた周波数領域リソースの中心位置がシステム帯域幅の中心位置ではない場合、ＭＴＣユーザ機器がＲＲＣシグナリングに基づいて周波数領域リソースの調整を行うように、ＲＲＣシグナリングによりＭＴＣユーザ機器にハンドオーバ指示を送信する、或いはＲＲＣによりＭＴＣユーザ機器にハンドオーバ指示値が第１の所定値である旨のハンドオーバ指示を送信する。送信部５２は、基地局によりＭＴＣユーザ機器に割り当てられた周波数領域リソースの中心位置がシステム帯域幅の中心位置である場合、ＭＴＣユーザ機器がＲＲＣシグナリングに基づいて通常のセルハンドオーバを行うように、ＲＲＣシグナリングを介することなくハンドオーバ指示を送信する（即ちＲＲＣシグナリングにハンドオーバ指示が含まない）、或いはＭＴＣユーザ機器にハンドオーバ指示値が第２の所定値である旨のハンドオーバ指示を送信する。
【００９４】
ここで、ハンドオーバ指示は、ＲＲＣシグナリングのＭｏｂｉｌｉｔｙＣｏｎｔｒｏｌＩｎｆｏ情報要素により伝送される。
【００９５】
ここで、ＭｏｂｉｌｉｔｙＣｏｎｔｒｏｌＩｎｆｏ情報要素は、ＭＴＣユーザ機器に割り当てられたキャリア周波数リソース及び帯域幅リソースをさらに含む。
【００９６】
本発明の実施例に係る基地局がＭＴＣユーザ機器に周波数領域リソースを割り当てることで、ＭＴＣユーザ機器が直ちに基地局により構成された動作周波数点にハンドオーバすることができ、正常な通信を行うことができる。
【００９７】
本発明の実施例はユーザ機器をさらに提供し、下記の実施例４に説明するように、該ユーザ機器の問題解決の原理は実施例２の方法と類似するため、具体的な実施は実施例２の方法の実施を参照してもよく、ここで重複部分の説明が省略される。
【００９８】
＜実施例４＞
本発明の実施例はマシンタイプコミュニケーションのユーザ機器を提供する。図６はユーザ機器の構成を示す図であり、図６に示すように、該ユーザ機器は受信部６１、判断部６２、及び処理部６３を含む。
【００９９】
受信部６１は、基地局により送信されたＲＲＣシグナリングを受信する。
【０１００】
判断部６２は、ＲＲＣシグナリングに基づいて、通常のセルハンドオーバを行うか又は周波数領域リソースの調整を行うかを判断する。
【０１０１】
処理部６３は、判断部６３の判断結果に基づいて、通常のセルハンドオーバを行う、或いは周波数領域リソースの調整を行う。
【０１０２】
ここで、判断部６２は、ＲＲＣシグナリングにハンドオーバ指示が含まれている場合、又はＲＲＣシグナリングにハンドオーバ指示値が第１の所定値である旨のハンドオーバ指示が含まれている場合、周波数領域リソースの調整を行うと決定する。
【０１０３】
ここで、判断部６２は、ＲＲＣシグナリングにハンドオーバ指示が含まれていない場合、又はＲＲＣシグナリングにハンドオーバ指示値が第２の所定値である旨のハンドオーバ指示が含まれている場合、通常のセルハンドオーバを行うと決定する。
【０１０４】
ここで、ハンドオーバ指示は、ＲＲＣシグナリングのＭｏｂｉｌｉｔｙＣｏｎｔｒｏｌＩｎｆｏ情報要素により伝送される。
【０１０５】
ここで、ＭｏｂｉｌｉｔｙＣｏｎｔｒｏｌＩｎｆｏ情報要素は、ＭＴＣユーザ機器に割り当てられたキャリア周波数リソース及び帯域幅リソースをさらに含む。
【０１０６】
処理部６３は、キャリア周波数リソースに基づいて動作周波数点を調整し、或いはベースバンドのデータを受信する周波数領域位置を調整し、帯域幅リソースに基づいて動作帯域幅を決定する。
【０１０７】
本実施例の１つの態様では、ユーザ機器は測定部６４をさらに含む。
【０１０８】
測定部６４は、基地局の測定要求に基づいてセル測定を行い、測定報告を報告する。
【０１０９】
ここで、実施例１に係る方法に対応し、基地局は、ＭＴＣユーザ機器にセルの測定を行わせ、測定報告に基づいてＭＴＣユーザ機器に周波数領域リソースを割り当て、ユーザ機器は、基地局の測定要求に基づいてセル測定を行い、測定報告を報告する。
【０１１０】
本実施例のもう１つの態様では、ユーザ機器は報告部６５をさらに含む。
【０１１１】
報告部６５は、基地局に、サポートされる最大帯域幅を報告する。
【０１１２】
ここで、実施例に係る方法に対応し、ユーザ機器は、前記基地局がユーザ機器により報告される最大帯域幅を参照してユーザ機器に動作帯域幅を割り当てるように、基地局にユーザ機器がサポート可能な最大帯域幅を報告する。
【０１１３】
ここで、実施例１に係る方法に対応し、ユーザ機器は、周波数領域リソースの調整を行う際に、元のサービングセル（元の周波数領域リソース）の一部の構成リソース情報、例えばタイミングアドバンス（Ｔｉｍｉｎｇ  Ａｄｖａｎｃｅ：ＴＡ）、ｒａｄｉｏＲｅｓｏｕｒｃｅＣｏｎｆｉｇＣｏｍｍｏｎ情報及び／又はｒａｃｈ−ＣｏｎｆｉｇＤｅｄｉｃａｔｅｄ情報を保留してもよい。
【０１１４】
本実施例のユーザ機器によれば、ＭＴＣユーザ機器が直ちに基地局により構成された動作周波数点にハンドオーバすることができ、元のサービング基地局により構成されたパラメータを用いて通信を行うことができる。
【０１１５】
＜実施例５＞
本発明の実施例はマシンタイプコミュニケーションのリソース構成方法を提供する。図７は該方法のフローチャートであり、図７に示すように、該方法は下記のステップを含む。
【０１１６】
ステップ７０１：ＭＴＣユーザ機器が基地局にアクセスした後で、ＭＴＣユーザ機器がＲＲＣシグナリングに基づいて動作周波数点を調整し、或いはベースバンドのデータを受信する周波数領域位置を調整するように、ＭＴＣユーザ機器に該ＲＲＣシグナリングを送信する。
【０１１７】
ここで、ＲＲＣシグナリングは、ＭＴＣユーザ機器の動作周波数点を指示するための動作周波数点指示情報、又はＭＴＣユーザ機器のベースバンドのデータを受信する周波数領域位置を指示するための周波数領域位置指示情報を含む。
【０１１８】
本実施例では、ハンドオーバコマンドを修正せず、新しいＲＲＣシグナリングを追加することで、ＭＴＣユーザ機器に周波数領域リソースの調整を指示させる。
【０１１９】
１つの実施例では、新しいＲＲＣシグナリングは動作周波数点指示情報を含み、ＭＴＣユーザ機器は、動作周波数点指示情報に基づいて新しい動作周波数点を決定する。
【０１２０】
もう１つの実施例では、新しいＲＲＣシグナリングは周波数領域位置指示情報を含み、ＭＴＣユーザ機器は周波数領域位置指示情報に基づいてベースバンドのデータを受信する周波数領域位置を決定する。
【０１２１】
もう１つの実施例では、新しいＲＲＣシグナリングは動作帯域幅指示情報をさらに含み、ＭＴＣユーザ機器は動作帯域幅指示情報に基づいて動作帯域幅を決定する。
【０１２２】
もう１つの実施例では、新しいＲＲＣシグナリングは、ｒａｄｉｏＲｅｓｏｕｒｃｅＣｏｎｆｉｇＣｏｍｍｏｎ情報及びｒａｄｉｏＲｅｓｏｕｒｃｅＣｏｎｆｉｇＤｅｄｉｃａｔｅｄ情報、例えばｅＰＤＣＣＨの構成情報、ＰＵＣＣＨの構成情報、ＳＲＳの構成情報などをさらに含む。ＭＴＣユーザ機器は、これらの情報に基づいて正常な通信を行う。
【０１２３】
以下は、本発明の実施例の１つの態様の新しいＲＲＣシグナリングに含まれる内容の一例である。
Frequencylocation
::=    SEQUENCE {
dl-CarrierFreq    ARFCN-ValueEUTRA
ul-CarrierFreq    ARFCN-ValueEUTRA    OPTIONAL
dl-Bandwidth    ENUMERATED {
n6,
n15, n25, spare13, spare12, spare11, spare10,
spare9,
spare8, spare7, spare6, spare5,
spare4,
spare3, spare2, spare1},
ul-Bandwidth    ENUMERATED {
n6,
n15, n25, spare13, spare12, spare11, spare10,
spare9,
spare8, spare7, spare6, spare5,
spare4,
spare3, spare2, spare1}  OPTIONAL
}    OPTIONAL,
radioResourceConfigCommonnewfreqency    RadioResourceConfigCommonnewfreqency    OPTIONAL
radioResourceConfigDedicatednewfreqency    RadioResourceConfigDedicatednewfreqency    OPTIONAL
}
本実施例の方法によれば、ＭＴＣユーザ機器が直ちに基地局により構成された動作周波数点にハンドオーバすることができ、元のサービング基地局により構成されたパラメータを用いて正常な通信を行うことができる。
【０１２４】
＜実施例６＞
本発明の実施例は、マシンタイプコミュニケーションのリソース構成方法を提供する。図８は該方法のフローチャートであり、図８に示すように、該方法は下記のステップを含む。
【０１２５】
ステップ８０１：ユーザ機器は、基地局にアクセスした後で、基地局により送信されたＲＲＣシグナリングを受信した場合、ＲＲＣシグナリングに基づいて動作周波数点を調整し、或いはベースバンドのデータを受信する周波数領域位置を調整する。
【０１２６】
ＲＲＣシグナリングは、ＭＴＣユーザ機器の動作周波数点を指示するための動作周波数点指示情報、又はＭＴＣユーザ機器のベースバンドのデータを受信する周波数領域位置を指示するための周波数領域位置指示情報を含む。
【０１２７】
本実施例では、基地局は、新しいＲＲＣシグナリングに基づいてＭＴＣユーザ機器に動作周波数点又は周波数領域位置を指示し、ユーザ機器はこれに基づいて動作周波数点又は周波数領域位置を決定する。
【０１２８】
実施例５に対応し、１つの実施例では、新しいＲＲＣシグナリングは動作周波数点指示情報を含み、ＭＴＣユーザ機器は該情報に基づいて新しい動作周波数点（背景技術に言及された最大帯域幅の低減方法におけるＲＦ及びベースバンド帯域幅を共に低減するＭＴＣユーザ機器に適用する）を決定する。
【０１２９】
実施例５に対応し、もう１つの実施例では、新しいＲＲＣシグナリングは周波数領域位置指示情報を含み、ＭＴＣユーザ機器は該情報に基づいてベースバンドのデータを受信する周波数領域位置（背景技術に言及された最大帯域幅の低減方法におけるベースバンド帯域幅を低減し、データチャネルのベースバンド帯域幅及び制御チャネルのベースバンド帯域を共に低減するＭＴＣユーザ機器に適用する）を決定する。
【０１３０】
実施例５に対応し、もう１つの実施例では、新しいＲＲＣシグナリングは、動作帯域幅指示情報をさらに含み、ＭＴＣユーザ機器は該情報に基づいて動作帯域幅を決定する。
【０１３１】
実施例５に対応し、もう１つの実施例では、新しいＲＲＣシグナリングは、ｒａｄｉｏＲｅｓｏｕｒｃｅＣｏｎｆｉｇＣｏｍｍｏｎ情報及びｒａｄｉｏＲｅｓｏｕｒｃｅＣｏｎｆｉｇＤｅｄｉｃａｔｅｄ情報、例えばｅＰＤＣＣＨの構成情報、ＰＵＣＣＨの構成情報、ＳＲＳの構成情報などをさらに含む。ＭＴＣユーザ機器はこれらの情報に基づいて正常な通信を行う。
【０１３２】
本実施例に係る方法によれば、ＭＴＣユーザ機器は直ちに基地局により構成された動作周波数点にハンドオーバすることができ、元のサービング基地局により構成されたパラメータを用いて正常な通信を行うことができる。
【０１３３】
本発明の実施例は基地局をさらに提供し、下記の実施例７に説明するように、該基地局の問題解決の原理は実施例５の方法と類似するため、具体的な実施は実施例５の方法の実施を参照してもよく、ここで重複部分の説明が省略される。
【０１３４】
＜実施例７＞
本発明の実施例は基地局をさらに提供する。図９は該基地局の構成を示す図であり、図９に示すように、該基地局は送信部９１を含む。
【０１３５】
送信部９１は、ＭＴＣユーザ機器が基地局にアクセスした後で、ＭＴＣユーザ機器がＲＲＣシグナリングに基づいて動作周波数点を調整し、或いはベースバンドのデータを受信する周波数領域位置を調整するように、ＭＴＣユーザ機器に該ＲＲＣシグナリングを送信する。
【０１３６】
ここで、ＲＲＣシグナリングは、ＭＴＣユーザ機器の動作周波数点を指示するための動作周波数点指示情報、又はＭＴＣユーザ機器のベースバンドのデータを受信する周波数領域位置を指示するための周波数領域位置指示情報を含む。
【０１３７】
ここで、ＲＲＣシグナリングは、ＭＴＣユーザ機器の動作帯域幅を指示するための動作帯域幅指示情報をさらに含む。
【０１３８】
ここで、ＲＲＣシグナリングは、ｒａｄｉｏＲｅｓｏｕｒｃｅＣｏｎｆｉｇＣｏｍｍｏｎ情報及びｒａｄｉｏＲｅｓｏｕｒｃｅＣｏｎｆｉｇＤｅｄｉｃａｔｅｄ情報をさらに含む。
【０１３９】
本実施例に係る基地局によれば、ＭＴＣユーザ機器は直ちに基地局により構成された動作周波数点にハンドオーバすることができ、元のサービング基地局により構成されたパラメータを用いて正常な通信を行うことができる。
【０１４０】
本発明の実施例はユーザ機器をさらに提供し、下記の実施例８に説明するように、該ユーザ機器の問題解決の原理は実施例６の方法と類似するため、具体的な実施は実施例６の方法の実施を参照してもよく、ここで重複部分の説明が省略される。
【０１４１】
＜実施例８＞
本発明の実施例はマシンタイプコミュニケーションのユーザ機器を提供する。図１０は該ユーザ機器の構成を示す図であり、図１０に示すように、該ユーザ機器は処理部１０１を含む。
【０１４２】
処理部１０１は、基地局にアクセスした後で、基地局により送信されたＲＲＣシグナリングを受信した場合、ＲＲＣシグナリングに基づいて動作周波数点を調整し、或いはベースバンドのデータを受信する周波数領域位置を調整する。
【０１４３】
ここで、ＲＲＣシグナリングは、ＭＴＣユーザ機器の動作周波数点を指示するための動作周波数点指示情報、又はＭＴＣユーザ機器のベースバンドのデータを受信する周波数領域位置を指示するための周波数領域位置指示情報を含む。
【０１４４】
ここで、ＲＲＣシグナリングは、動作帯域幅指示情報をさらに含み、処理部は、動作帯域幅指示情報に基づいて動作帯域幅を決定する。
【０１４５】
ここで、ＲＲＣシグナリングは、ｒａｄｉｏＲｅｓｏｕｒｃｅＣｏｎｆｉｇＣｏｍｍｏｎ情報及びｒａｄｉｏＲｅｓｏｕｒｃｅＣｏｎｆｉｇＤｅｄｉｃａｔｅｄ情報をさらに含む。
【０１４６】
本実施例に係るユーザ機器によれば、ＭＴＣユーザ機器が直ちに基地局により構成された動作周波数点にハンドオーバすることができ、元のサービング基地局により構成されたパラメータを用いて正常な通信を行うことができる。
【０１４７】
＜実施例９＞
本発明の実施例はマシンタイプコミュニケーションの周波数領域リソース管理方法をさらに提供する。図１１は該方法のフローチャートであり、図１１に示すように、該方法は下記のステップを含む。
【０１４８】
ステップ１１０１：基地局は、ＭＴＣユーザ機器により報告された、ＭＴＣユーザ機器がサポート可能な最大帯域幅を受信する。
【０１４９】
ステップ１１０２：基地局は、ＭＴＣユーザ機器がサポート可能な最大帯域幅に基づいて周波数領域リソースを管理する。
【０１５０】
本実施例では、基地局は、ＭＴＣユーザ機器により報告されたサポート可能な最大帯域幅に基づいて周波数領域リソースを管理し、例えば、周波数領域リソースの割り当て、動作帯域幅の割り当て、ユーザ機器スケジューリングの管理を行うが、本実施例はこれに限定されない。
【０１５１】
本実施例に係る方法によれば、ＭＴＣユーザ機器は直ちに基地局により構成された動作周波数点にハンドオーバすることができ、元のサービング基地局により構成されたパラメータを用いて正常な通信を行うことができる。
【０１５２】
＜実施例１０＞
本発明の実施例はマシンタイプコミュニケーションの周波数領域リソース管理方法をさらに提供する。図１２は該方法のフローチャートであり、図１２に示すように、該方法は下記のステップを含む。
【０１５３】
ステップ１２０１：ユーザ機器は、基地局がユーザ機器がサポート可能な最大帯域幅に基づいて周波数領域リソースを管理するように、基地局にユーザ機器がサポート可能な最大帯域幅を送信する。
【０１５４】
本実施例に係る方法によれば、ＭＴＣユーザ機器は直ちに基地局により構成された動作周波数点にハンドオーバすることができ、元のサービング基地局により構成されたパラメータを用いて正常な通信を行うことができる。
【０１５５】
＜実施例１１＞
本発明の実施例は基地局をさらに提供する。図１３は該基地局の構成を示す図であり、図１３に示すように、該基地局は受信部１３１及び管理部１３２を含む。
【０１５６】
受信部１３１は、ＭＴＣユーザ機器により報告された、ＭＴＣユーザ機器がサポート可能な最大帯域幅を受信する。
【０１５７】
管理部１３２は、ＭＴＣユーザ機器がサポート可能な最大帯域幅に基づいて周波数領域リソースを管理する。
【０１５８】
本実施例に係る方法によれば、ＭＴＣユーザ機器は直ちに基地局により構成された動作周波数点にハンドオーバすることができ、元のサービング基地局により構成されたパラメータを用いて正常な通信を行うことができる。
【０１５９】
＜実施例１２＞
本発明の実施例はユーザ機器をさらに提供する。図１４は該ユーザ機器の構成を示す図であり、図１４に示すように、該ユーザ機器は送信部１４１を含む。
【０１６０】
送信部１４１は、基地局がユーザ機器がサポート可能な最大帯域幅に基づいて周波数領域リソースを管理するように、基地局にユーザ機器がサポート可能な最大帯域幅を送信する。
【０１６１】
本実施例に係るユーザ機器はＭＴＣユーザ機器であってもよく、本実施例に係る方法によれば、ＭＴＣユーザ機器は直ちに基地局により構成された動作周波数点にハンドオーバすることができ、元のサービング基地局により構成されたパラメータを用いて正常な通信を行うことができる。
【０１６２】
本発明の実施例は、実施例３に記載の基地局及び実施例４に記載のユーザ機器を含む通信システムをさらに提供する。
【０１６３】
本発明の実施例は、実施例７に記載の基地局及び実施例８に記載のユーザ機器を含む通信システムをさらに提供する。
【０１６４】
本発明の実施例は、実施例１１に記載の基地局及び実施例１２に記載のユーザ機器を含む通信システムをさらに提供する。
【０１６５】
本発明の実施例は、基地局においてプログラムを実行する際に、コンピュータに、実施例１若しくは実施例５に記載のマシンタイプコミュニケーションのリソース構成方法又は実施例１１に記載のマシンタイプコミュニケーションの周波数領域リソース管理方法を基地局において実行させる、コンピュータ読み取り可能なプログラムをさらに提供する。
【０１６６】
本発明の実施例は、コンピュータに、実施例１若しくは実施例５に記載のマシンタイプコミュニケーションのリソース構成方法又は実施例１１に記載のマシンタイプコミュニケーションの周波数領域リソース管理方法を基地局において実行させるためのコンピュータ読み取り可能なプログラムを記録する、記録媒体をさらに提供する。
【０１６７】
本発明の実施例は、端末機器においてプログラムを実行する際に、コンピュータに、実施例２若しくは実施例６に記載のマシンタイプコミュニケーションのリソース構成方法又は実施例１２に記載のマシンタイプコミュニケーションの周波数領域リソース管理方法を前記端末機器において実行させる、コンピュータ読み取り可能なプログラムをさらに提供する。
【０１６８】
本発明の実施例は、コンピュータに、実施例２若しくは実施例６に記載のマシンタイプコミュニケーションのリソース構成方法又は実施例１２に記載のマシンタイプコミュニケーションの周波数領域リソース管理方法を端末機器において実行させるためのコンピュータ読み取り可能なプログラムを記録する、記録媒体をさらに提供する。
【０１６９】
本発明の以上の装置及び方法は、ハードウェアにより実現されてもよく、ハードウェアとソフトウェアを結合して実現されてもよい。本発明はコンピュータが読み取り可能なプログラムに関し、該プログラムはロジック部により実行される時に、該ロジック部に上述した装置又は構成要件を実現させる、或いは該ロジック部に上述した各種の方法又はステップを実現させることができる。本発明は上記のプログラムを記憶するための記憶媒体、例えばハードディスク、ディスク、光ディスク、ＤＶＤ、フラッシュメモリ等に関する。
【０１７０】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び修正を行ってもよく、これらの変形及び修正も本発明の範囲に属する。
【図１】
2016502350.tif 000004
【図２】
2016502350.tif 000005
【図３】
2016502350.tif 000006
【図４】
2016502350.tif 000007
【図５】
2016502350.tif 000008
【図６】
2016502350.tif 000009
【図７】
2016502350.tif 000010
【図８】
2016502350.tif 000011
【図９】
2016502350.tif 000012
【図１０】
2016502350.tif 000013
【図１１】
2016502350.tif 000014
【図１２】
2016502350.tif 000015
【図１３】
2016502350.tif 000016
【図１４】
2016502350.tif 000017
【国際調査報告】
2016502350.tif 000018
2016502350.tif 000019
2016502350.tif 000020
2016502350.tif 000021
2016502350.tif 000022
2016502350.tif 000023
2016502350.tif 000024
2016502350.tif 000025